(57)【要約】      （修正有）【課題】ドリンクカップをしっかりと支持できる袋体内に入れることができ、袋体の接着箇所の構造強度も高めたドリンクカップ用袋を提供する。【解決手段】袋体１０と、複数の第１接着部１２１と、複数の第２接着部１２２と、第３接着部１２３とを備え、袋体は、長尺状シートを二つの重なり合うシートユニット１２に二つ折りで接着させることにより構成されると共に、内部空間及び該内部空間と連通する開口部１３を含み、該開口部に周縁１４を有し、対向する各シートユニットにおいて上縁に接近する箇所にそれぞれ貫通穴１５が形成され、複数の第１接着部は、各シートユニットの接着箇所に位置し、袋体の上縁に接近する箇所から底部に向かって延在するように、二つの重なり合う該シートユニットの両側辺において間隔をあけて形成され、内部空間は、二つの重なり合う該シートユニットの両側辺の間に形成される。【選択図】図１
0003223261.tif 000002
【実用新案登録請求の範囲】
【請求項１】
袋体と、複数の第１接着部と、複数の第２接着部と、第３接着部とを備え、
前記袋体は、長尺状シートを二つの重なり合うシートユニットに二つ折りで接着させることにより構成されると共に、内部空間及び該内部空間と連通する開口部を含み、該開口部に周縁を有し、対向する前記各シートユニットにおいて上縁に接近する箇所にそれぞれ貫通穴が形成され、
前記複数の第１接着部は、前記各シートユニットの接着箇所に位置し、前記袋体の上縁に接近する箇所から底部に向かって延在するように、二つの重なり合う該シートユニットの両側辺において間隔をあけて形成され、前記内部空間は、二つの重なり合う該シートユニットの両側辺の間に形成され、尚、ここでの複数の第１接着部はそれぞれ、横方向に沿って曲線状のように接着され、
前記複数の第２接着部は、両前記シートユニットの接着箇所に位置し、前記袋体の底部から前記開口部に向かって前記複数の第１接着部まで延在するように、二つの重なり合う該シートユニットの両側辺において間隔をあけて形成され、尚、ここでの複数の第２接着部はそれぞれ、横方向に沿って曲線状に接着され、
前記第３接着部は、二つの重なり合う前記シートユニットにおいて前記袋体の両側辺に対して中間に接近する箇所に設けられることを特徴とする、ドリンクカップ用袋。
【請求項２】
前記複数の第１接着部のそれぞれの長さが、前記袋体の底部に向かって次第に長くなることを特徴とする、請求項１に記載のドリンクカップ用袋。
【請求項３】
前記複数の第２接着部のそれぞれの長さが、前記袋体の開口部に向かって次第に長くなることを特徴とする、請求項１又は請求項２に記載のドリンクカップ用袋。
【請求項４】
前記第３接着部が、垂直で且つ間隔をあけて設置される二つの接着点であることを特徴とする、請求項３に記載のドリンクカップ用袋。
【請求項５】
二つの重なり合う前記シートユニットにおいて前記袋体の両側辺に接近する箇所に設置される第４接着部をさらに含むことを特徴とする、請求項４に記載のドリンクカップ用袋。
【請求項６】
前記第４接着部が、水平で且つ間隔をあけて設置される二つの接着点であることを特徴とする、請求項５に記載のドリンクカップ用袋。
【請求項７】
二つの重なり合う前記シートユニットの底部に形成される第１折り部をさらに備え、該第１折り部に、平らな底面が選択的に形成されると共に、前記複数の第２接着部が位置することを特徴とする、請求項６に記載のドリンクカップ用袋。
【請求項８】
前記第１折り部は、前記シートユニットの中央に位置する中間折り目線及び、該中間折り目線の両側に位置する二つの側折り目線からなり、折った後、該二つの側折り目線がそれぞれ、前記袋体の下縁に位置すると共に、該中間折り目線が内側へ凹んで二つの前記シートユニットの間に位置することを特徴とする、請求項７に記載のドリンクカップ用袋。
【請求項９】
二つの第２折り部をさらに備え、該二つの第２折り部はそれぞれ、二つの重なり合う前記シートユニットの上縁に形成されると共に、該シートユニットの延長部材であって、前記袋体の底部に向かって折り曲げられていることを特徴とする、請求項８に記載のドリンクカップ用袋。
【請求項１０】
前記貫通穴がそれぞれ、前記第２折り部を貫通することを特徴とする、請求項９に記載のドリンクカップ用袋。
【考案の詳細な説明】
【技術分野】
【０００１】
本考案は、袋体に関し、特にドリンクカップを入れる袋に関するものである。
【背景技術】
【０００２】
従来の技術に係るドリンクカップ用袋の形式は、上方に開口部を有すると共に、内部に物品置き用空間が設けられ、その開口部の周縁がカットされて使用者が把持する際に用いることができる取っ手が設けられ、また、ドリンクカップ用袋の底部が直接対向接着の方式で接合され、側面視でのドリンクカップ用袋の外観が一般的にＶ字形の形状を呈している。
【０００３】
しかし、従来のドリンクカップ用袋には安定性に優れた平面の底部はなく、前述のＶ字形を呈する袋体の底部が、単に接着された一本の線状のものであると共に、、ドリンクカップ用袋の内部空間には、特にドリンクカップの外型に対応する特別な設計はないので、ドリンクカップをドリンクカップ用袋に入れた後、カップの底部がドリンクカップ用袋に支持されない上、ドリンクカップの周囲に、余分な空間も発生し、持ち歩いている最中に、揺れ易くドリンクカップに傾きが発生して内部の液体が漏れることがよくある。このような欠点に鑑み、ドリンクカップを適度に支持するために井の字形のカップ保持プレートをドリンクカップ用袋の底部に設置する店もあるが、それでは、ドリンクカップ用袋自身の重量や体積が増大するほか、店舗のコストも増加してしまい、また、四つのドリンクカップを入れた場合、店では通常、左右に二つのドリンクカップを積み重ねるように配置するが、このような配置方法では、上方のドリンクカップが、一般に平らではない下方のドリンクカップの上蓋に置かれることから、カップ保持プレートの支持によって一見安定して見えるものの、実際は不安定な状態であり、且つ底部が支持されていないため、傾きが発生しやすく、さらに、従来のドリンクカップ用袋の場合、両側辺がそれぞれ一本の接着線で圧着され、接着面積が小さくて構造強度が弱く、使用中少し引っ張られると、接着箇所まで壊れることで、ドリンクカップ用袋が破損して使用できなくなる虞があるので、改善が望まれていた。
【考案の概要】
【考案が解決しようとする課題】
【０００４】
本考案は、従来の技術の欠点に鑑みてなされたものであり、袋体の両側辺に横方向に沿って曲線状のように接着される複数の第１接着部及び複数の第２接着部を設置すると共に、第３接着部を袋体の両側辺に対して中間に接近する箇所に設けることで、ドリンクカップをしっかりと支持できる袋体内に入れることができ、袋体の接着箇所の構造強度も高めたドリンクカップ用袋を提供することを目的としている。
【課題を解決するための手段】
【０００５】
上記の発明の目的を達成するために、本考案に採用された技術的手段はドリンクカップ用袋を設計するためであり、袋体と、複数の第１接着部と、複数の第２接着部と、第３接着部とを備え、前記袋体は、長尺状シートを二つの重なり合うシートユニットに二つ折りで接着させることにより構成されると共に、内部空間及び該内部空間と連通する開口部を含み、該開口部に周縁を有し、対向する前記各シートユニットにおいて上縁に接近する箇所にそれぞれ貫通穴が形成され、前記複数の第１接着部は、前記各シートユニットの接着箇所に位置し、前記袋体の上縁に接近する箇所から底部に向かって延在するように、二つの重なり合う該シートユニットの両側辺において間隔をあけて形成され、前記内部空間は、二つの重なり合う該シートユニットの両側辺の間に形成され、尚、ここでの複数の第１接着部はそれぞれ、横方向に沿って曲線状のように接着され、前記複数の第２接着部は、両前記シートユニットの接着箇所に位置し、前記袋体の底部から前記開口部に向かって前記複数の第１接着部まで延在するように、二つの重なり合う該シートユニットの両側辺において間隔をあけて形成され、尚、ここでの複数の第２接着部はそれぞれ、横方向に沿って曲線状に接着され、前記第３接着部は、二つの重なり合う前記シートユニットにおいて前記袋体の両側辺に対して中間に接近する箇所に設けられることを特徴とする。
【０００６】
さらには、前記複数の第１接着部のそれぞれの長さが、前記袋体の底部に向かって次第に長くなることを特徴とする。
【０００７】
さらには、前記複数の第２接着部のそれぞれの長さが、前記袋体の開口部に向かって次第に長くなることを特徴とする。
【０００８】
さらには、前記第３接着部が、垂直で且つ間隔をあけて設置される二つの接着点であることを特徴とする。
【０００９】
さらには、二つの重なり合う前記シートユニットにおいて前記袋体の両側辺に接近する箇所に設置される第４接着部をさらに含むことを特徴とする。
【００１０】
さらには、前記第４接着部が、水平で且つ間隔をあけて設置される二つの接着点であることを特徴とする。
【００１１】
さらには、二つの重なり合う前記シートユニットの底部に形成される第１折り部をさらに備え、該第１折り部に、平らな底面が選択的に形成されると共に、前記複数の第２接着部が位置することを特徴とする。
【００１２】
さらには、前記第１折り部は、前記シートユニットの中央に位置する中間折り目線及び、該中間折り目線の両側に位置する二つの側折り目線からなり、折った後、該二つの側折り目線がそれぞれ、前記袋体の下縁に位置すると共に、該中間折り目線が内側へ凹んで二つの前記シートユニットの間に位置することを特徴とする。
【００１３】
さらには、二つの第２折り部をさらに備え、該二つの第２折り部はそれぞれ、二つの重なり合う前記シートユニットの上縁に形成されると共に、該シートユニットの延長部材であって、前記袋体の底部に向かって折り曲げられていることを特徴とする。
【００１４】
さらには、前記貫通穴がそれぞれ、前記第２折り部を貫通することを特徴とする。
【考案の効果】
【００１５】
本考案の利点について、ドリンクカップ用袋の袋体の両側辺に、複数の第１接着部及び複数の第２接着部が設置され、該複数の第１接着部は、横方向に沿って曲線状のように接着され、且つ袋体の開口部周縁から袋体の底部へ延在すると共に、間隔をおいて設置され、該複数の第２接着部は、袋体の底部から開口部方向へ複数の第１接着部まで延在し、また、該袋体の両側辺に対して中間に接近する箇所に第３接着部がさらに設けられることで、袋内の空間を左右二つの区域に区分すると共に、これらにより、ドリンクカップを安定して左右二つの空間に配置できドリンクカップの外型に対応するように構成し、更には、左右二つのドリンクカップを重ねて配置しても、倒れることなく、袋体内においてしっかりと支持できるほか、横方向に沿った曲線状の接着設計なので、袋体の接着面積が増大し、袋体の構造強度が向上する。
【図面の簡単な説明】
【００１６】
【図１】本考案の斜視外観図である。
【図２】本考案の正面図である。
【図３】本考案の展開時の状態を示す模式図である。
【図４】本考案の使用状態を示す模式図である。
【図５】本考案の部分断面図である。
【考案を実施するための形態】
【００１７】
以下、図面及び本考案の好適な実施例を参照しながら、本考案が予め決められた発明の目的を達成するために講じた技術的手段をさらに詳述する。
【００１８】
図１〜図３に示すように、本考案のドリンクカップ用袋は、袋体１０を備え、該袋体１０は、不織布である長尺状シート１１を二つ重なり合わせてシートユニット１２とし、熱圧着することで接着してなるものであり、内部空間及び内部空間と連通する開口部１３を含み、該開口部１３は周縁１４を備え、該袋体１０の両側に対向するシートユニット１２において上縁に近接する箇所にそれぞれ、縦長形の貫通穴１５を有することで、使用者が把持することができる。尚、本実施例における貫通穴１５には、カット方式で遮蔽シート１６を残していることから、ドリンクカップを入れず、袋体１０が平らな状態においては、遮蔽シート１６で貫通穴１５を覆うことが可能であり、袋体１０を使用する場合、指で遮蔽シート１６を捲り上げて、貫通穴１５を挿通させれば、袋体１０を持ち上げることができるが、これに限られず、貫通穴１５では、遮蔽シート１６を残さなくてもよい。
【００１９】
前記袋体１０は、複数の第１接着部１２１と、複数の第２接着部１２２と、第３接着部１２３と、第４接着部１２４と、第１折り部１２５と、第２折り部１２９とを備え、そのうち、第１接着部１２１は、二つのシートユニット１２の接着箇所に位置して、袋体１０の上縁に接近する箇所から底部に向かって延在するように、二つの重なり合うシートユニット１２の両側辺に間隔をおいて設けられ、前記内部空間は、二つの重なり合うシートユニット１２の両側辺の間に形成され、この時、複数の第１接着部１２１はそれぞれ、横方向に沿って曲線状のように接着される。具体的に述べると、前記第１接着部１２１は、略横向きのＵ字形であり、該Ｕ字の開口は袋体１０の側辺に向っており、複数の第１接着部１２１のそれぞれの長さが、袋体１０の底部に向かって次第に長くなり、該複数の第１接着部１２１によって、両シートユニット１２を対向するように接着させるので、正面視で袋体１０を見た場合、複数の第１接着部１２１の構成形状が全体として略台形（図２を参照）を呈するが、これに限られず、ドリンクカップをフィットさせて固定する目的を達成できればよい。
【００２０】
前記第２接着部１２２は、二つのシートユニット１２の接着箇所に位置して、袋体１０の底部から開口部１３に向かって前記複数の第１接着部１２１まで延在するように、二つの重なり合うシートユニット１２の両側辺に間隔をおいて設けられ、この時、複数の第２接着部１２２はそれぞれ、横方向に沿って曲線状のように接着される。具体的に述べると、前記第２接着部１２２は、略横向きのＵ字形であり、該Ｕ字の開口は袋体１０の側辺に向かっており、複数の第２接着部１２２のそれぞれの長さが、袋体１０の開口部１３に向かって次第に長くなり、該複数の第２接着部１２２によって、両シートユニット１２を対向するように接着させるので、正面視で袋体１０を見た場合、複数の第２接着部１２２の構成形状が全体として略台形（図２を参照）を呈するが、これに限られず、ドリンクカップをフィットさせて固定する目的を達成できればよい。
【００２１】
前記第３接着部１２３は、二つの重なり合う前記シートユニット１２における、袋体１０の両側辺に対して中間に接近する箇所に設けられると共に、垂直で且つ間隔をおいて設置され、具体的に述べると、同時に二つのドリンクカップを入れる場合、第３接着部１２３によって、袋体１０の内部空間を左右二つの区域に区分されると共に、左右二つのドリンクカップの隣り合う内側部分を支持することで、左右両側にそれぞれドリンクカップを入れても、揺れが発生しにくくなるが、これに限られず、第３接着部１２３の接着方式は、空間区分及び支持の効果を達成できれば使用者のニーズにより他の方法を用いてもよい。
【００２２】
前記第４接着部１２４は、二つの重なり合うシートユニット１２における、袋体１０の両側辺に接近する箇所に設けられると共に、水平で且つ間隔をおいて設置され、具体的に述べると、同時に四つのドリンクカップ２０を左右に二つ重ねて配置する場合、第４接着部１２４によって、左右の二つのドリンクカップのそれぞれの外側部分を支持することで、両側への傾きを防ぐことができる。しかし、これに限られず、第４接着部１２４の接着方式は、空間区分及び支持の効果を達成できれば、使用者のニーズにより他の方法を採用してもよい。
【００２３】
前記第１折り部１２５は、二つの重なり合うシートユニット１２の底部に形成され、第１折り部１２５には、平らな底面１７を選択的に形成可能である。尚、本実施例においては、第１折り部１２５を、長尺状シート１１の中間に近い箇所で連続的に折ることで四層の構造となり、つまり、図３に示すように、第１折り部１２５は、長尺状シート１１の中央にある中間折り目線１２６及び二つの側折り目線１２７、１２８からなり、その二つの側折り目線１２７、１２８が中間折り目線１２６の両側に位置し、折った後、二つの側折り目線１２７、１２８がそれぞれ、袋体１０の下縁に位置し、中間折り目線１２６が内側へ凹むように両シートユニット１２の間に位置し、第２接着部１２２が第１折り部１２５の両側辺に位置することで、二つのシートユニット１２を連続的に折ることで形成された四層の構造が同時に接着されているから、互いに離間することがない。また、図１に示すように、袋体１０を使用しない時は、第１折り部１２５の袋体１０が積層状を呈し、つまり、側面視で略Ｗ字形を呈し、一方、図４に示すように、袋体１０を使用する時は、第１折り部１２５の袋体１０が拡開され、平面の底面１７が形成されるが、必ずしもこの構成に限られず、底面１７が形成されれば、他の構成であってもよい。
【００２４】
前記第２折り部１２９はそれぞれ、二つの重なり合うシートユニット１２の上縁に形成されると共に、シートユニット１２の延長部材であって、袋体１０の底部に向かって折り曲げられており、具体的に述べると、該第２折り部１２９は、袋体１０の底部に向かって折り曲げられ、シートユニット１２に密着し、また、貫通穴１５がそれぞれ、該第２折り部１２９に形成されていることで、この折り重ねた部位によって増加した袋体１０の厚さが、該貫通穴１５における構造強度を高める。
【００２５】
本考案を使用する時は、図４及び図５に示すように、まず第１折り部１２５を平らにし、底面１７を備える状態になるまで袋体１０を広げてから、四つのドリンクカップ２０を左右に二つ重ねるように袋内に入れ、第１折り部１２５で平らな底面１７上にしっかりと置き、貫通穴１５によりドリンク用袋を持ち上げることで強固に支持することができる。飲み終わったらドリンクカップ２０を取り出し、平らな第１折り部１２５を、元の中間折り目線１２６及び二つの側折り目線１２７、１２８により積層状に折り畳んで、袋体１０を元の平らな状態にする。
【００２６】
上記において、袋体１０の両側辺に横方向に沿って複数の曲線状の第１接着部１２１が設けられ、接着形状により形成された空間と、ドリンクカップ２０の外縁形状とを整合することで、ドリンクカップ２０をより袋体１０内に位置決めし易くなると共に、接着面積の増加により、袋体１０の接着箇所の構造強度が高まるので、外力による破損を防ぐことができる。
【００２７】
上述したように、本考案においては、第１折り部１２５が設けられていることから、第１折り部１２５を広げて形成された底面１７は、ドリンクカップ２０を安定して支持することができるので、ドリンクカップが袋体１０内で揺れることはない。
【００２８】
以上の説明は、本考案の好ましい実施形態に過ぎず、本考案に対して何ら限定を行うものではない。本考案について、比較的好ましい実施形態をもって上記のとおり開示したが、これは本考案を限定するものではなく、すべての当業者が、本考案の技術構想を逸脱しない範囲において、本考案の技術の本質に基づいて上記の実施形態に対して行ういかなる簡単な修正、変更及び修飾も、依然としてすべて本考案の技術構想の範囲内にある。
【符号の説明】
【００２９】
１０          袋体
１１          長尺状シート
１２          シートユニット
１２１ 第１接着部
１２２ 第２接着部
１２３ 第３接着部
１２４ 第４接着部
１２５ 第１折り部
１２６ 中間折り目線
１２７、１２８       側折り目線
１２９ 第２折り部
１３          開口部
１４          周縁
１５          貫通穴
１６          遮蔽シート
１７          底面
２０          ドリンクカップ
【図１】
0003223261.tif 000003
【図２】
0003223261.tif 000004
【図３】
0003223261.tif 000005
【図４】
0003223261.tif 000006
【図５】
0003223261.tif 000007